(57)【要約】  【課題】  天板に突起物が存在する場合でも、確実かつ安全に取り付けることのできるナイトカバーを提供する。  【解決方法】  ナイトカバー１は、スクリーン１０と、スクリーン１０を収容し、ショーケースの天板に取り付けられるセットフレーム３０とを備える。セットフレーム３０は、レール部材３１と、マグネット組立５０とを備える。マグネット組立５０は、スライド板５１と、スライド板５１に取り付けられる２個のマグネット５３を有し、レール部材３１の長さ方向に沿ってスライドする。したがって、天板上において設置可能な個所を選択し、そこに対応するようにマグネット組立５０をセットフレーム３０に対して移動させることができる。また、マグネット５３は、レール部材３１の上面から突き出して、マグネット５３の上面とレール部材３１の上面との間に間隔が開いているので、この間隔の間に天板の突起物が存在することとなる。【選択図】  図１
2014068974.tif 000002
【特許請求の範囲】
【請求項１】
ショーケースの商品陳列空間の開口面を覆うスクリーンと、
該スクリーンを引き出し可能に収容し、前記ショーケースの天板に取り付けられるセットフレームと、
を備えるナイトカバーであって、
前記セットフレームを前記ショーケースの天板に取り付けるマグネットが、前記セットフレームの長手方向に移動可能に設けられていることを特徴とするナイトカバー。
【請求項２】
前記ショーケース天板に対向する前記セットフレームの面に、長手方向に延びるガイド部が形成されており、
前記マグネットを搭載したスライド板が、前記ガイド部に沿ってスライドすることを特徴とする請求項１記載のナイトカバー。
【請求項３】
前記セットフレームの天板対向面から、前記マグネットの天板への吸着面との段差が２ｍｍ以上あることを特徴とする請求項1又は２に記載のナイトカバー。
【請求項４】
前記セットフレームを前記ショーケース天板から吊る脱落防止ワイヤーを有することを特徴とする請求項１、２又は３に記載のナイトカバー。
【発明の詳細な説明】
【技術分野】
【０００１】
本発明は、スーパーマーケット等の店舗の閉店時に、冷蔵用ショーケース等の開口面を覆うナイトカバーに関する。特には、既存のショーケースにも簡単かつ安全に取り付けることのできるナイトカバーに関する。
【背景技術】
【０００２】
スーパーマーケットやコンビニエンスストア等の店舗に備えられている冷蔵用や冷凍用の前面部あるいは上面部が開口したショーケースにおいては、店舗閉店時に開口面をナイトカバーで覆い、商品陳列空間からの冷熱の損失を抑制している。特に近年では、断熱性が向上したスクリーンを使用した高性能のナイトカバーが普及しつつあり、現在取り付けられている既存のナイトカバーを交換したり、新たにこのナイトカバーをショーケースに採用するようなことも増えてきた。
【０００３】
ナイトカバーをビスを用いてショーケースの天板に取り付ける場合、ナイトカバーに専用の取付金具を取り付け、その金具を天板にビスで固定するのが一般的である。ところで、ショーケースの天板には照明用の蛍光灯が取り付けられており、そのための電線やトランス、コントローラ等が天板の裏側に収容されている。このため、天板に金具を取り付ける孔をあける際に、これらの部品を損傷させたり、漏電事故を発生させる事態も起こり得る。また、専用の取付金具を準備する手間がかかる。
【０００４】
そこで、ショーケースに磁石によって着脱自在に取り付け可能なナイトカバーが提案されている（例えば、特許文献１、２参照）。着脱自在とすることにより、ナイトカバーが備えられていない既存のショーケースにも取り付けることができるとともに、店舗開店中等のナイトカバーを使用しない間には、ショーケースの前面の下方に収容しておくこともできる。磁石は、平坦なプレート状のものであり、この磁石をショーケースの天板の下面に幅方向に渡って取り付けるとされている。
【０００５】
しかしながら、前述のようにショーケースの天板には、商品照明用の蛍光灯が取り付けられているとともに、天板の裏側には蛍光灯用の種々の部品が収容されている。そして、天板の下面には、電線を束ねるクリップホルダや、部品を天板に取り付けるためのビスのヘッド等の突起物が存在している。さらに、ショーケース毎に、このような突起物の位置が異なる。このため、平坦なプレート状の磁石を天板に吸着させる際には、これらの突起物がない位置を選ぶ必要があるが、所望の位置に取り付けることができない場合がよくある。
【先行技術文献】
【特許文献】
【０００６】
【特許文献１】特開平９−６５９５８号公報
【特許文献２】実用新案登録第３０８９８６８号
【発明の概要】
【発明が解決しようとする課題】
【０００７】
本発明は上記の点に鑑みてなされたものであって、天板に突起物が存在する場合でも、確実かつ安全に取り付けることのできるナイトカバーを提供することを目的とする。
【課題を解決するための手段】
【０００８】
本発明のナイトカバーは、  ショーケースの商品陳列空間の開口面を覆うスクリーンと、  該スクリーンを引き出し可能に収容し、前記ショーケースの天板に取り付けられるセットフレームと、を備えるナイトカバーであって、  前記セットフレームを前記ショーケースの天板に取り付けるマグネットが、前記セットフレームの長手方向に移動可能に設けられていることを特徴とする。
【０００９】
本発明においては、  前記ショーケース天板に対向する前記セットフレームの面に、長手方向に延びるガイド部を形成し、  前記マグネットを搭載したスライド板が、前記ガイド部に沿ってスライドすることとできる。
【００１０】
本発明においては、マグネットで天板に取り付けるので、専用の取付金具を準備したり、天板に金具取り付け用の孔を開ける必要がなく、簡単に短時間でナイトカバーを取り付けることができる。また、取り付け時にゴミ等が発生して、陳列されている商品にゴミが落下するようなこともないので、店舗が開店している間でも取り付けることができる。さらに、ショーケースに孔加工したりする際に、内部の配線等を傷付けたりすることもない。
【００１１】
また、マグネットをセットフレームの長手方向に沿って移動できるので、比較的狭い箇所に設置することができる。したがって、設置可能な個所を選択し、そこに対応するようにマグネットをセットフレームに対して移動させればよい。このように天板の状況に応じて設置個所を選択できるので、様々な種類のショーケースに対応できる。
また、スライド板をガイド部内で前後方向にやや傾斜可能としておけば、スライド板を天板の傾斜に合った姿勢とできるので、マグネットをより確実に天板に吸着させることができる。
【００１２】
スライド板は左右一対とし、各々をセットフレームの左右両端付近に設けることが標準的であるが、スクリーンの幅や長さに応じて個数を変えてもよい。また、一枚のスライド板に、２個の円盤状マグネットを設けるのが標準的であるが、マグネットの個数を変えたり、長方形のマグネットを使用してもよい。
【００１３】
本発明においては、  前記セットフレームの天板対向面から、前記マグネットの天板への吸着面との段差が２ｍｍ以上あることが好ましい。
【００１４】
マグネット自体は、突起物のない天板の位置にスライドさせて、そこに吸着させる。マグネットの吸着面とセットフレームの上面（天板対向面）との間に段差を設けることにより、ショーケース天板に止めてあるビスの頭や突起部がセットフレームの天板対向面に当たらないようにすることができる。段差は、好ましくは３ｍｍ以上であり、特には５〜１０ｍｍとすることができる。
【００１５】
本発明においては、  前記セットフレームを前記ショーケース天板から吊る脱落防止ワイヤーを有することが好ましい。
【００１６】
この場合、マグネット吸着力が低下したり、ナイトカバーに不用意な力がかかっても、ナイトカバーを脱落しないように保持できる。脱落防止ワイヤーは、一端をスライド板に固定し、もう一方の端部は、天板に存在する既存のビスなどに固定することができる。この場合も、天板に新たな孔をあける等の加工を施す必要がない。
【発明の効果】
【００１７】
以上の説明から明らかなように、本発明によれば、ナイトカバーをマグネットで天板に取り付けるので、専用の取付金具を準備したり、天板に金具取り付け用の孔を開ける必要がなく簡単に取り付けることができる。また、マグネットを搭載したスライド板を、ショーケースの幅方向に沿ってスライドすることとすれば、比較的狭い箇所に設置することができる。したがって、設置可能な個所を選択し、そこに対応するようにマグネットをセットフレームに対して移動させればよい。このように天板の状況に応じて設置個所を選択できるので、天板に突起物が存在した場合にも対応できるとともに、様々な種類のショーケースに対応できる。
【図面の簡単な説明】
【００１８】
【図１】本発明の実施の形態に係るナイトカバーを説明する図であり、図１（Ａ）は正面図、図１（Ｂ）は側面図、図１（Ｃ）はナイトカバーのセットフレーム内の機構を示す正面図である。
【図２】ショーケースの開口面を図１のナイトカバーで覆った状態を示す側面図である。
【図３】図１のナイトカバーのセットフレームを説明する図であり、図３（Ａ）はセットフレーム端部の下面図、図３（Ｂ）はセットフレームの断面図である。
【図４】図１のナイトカバーをショーケースの天板に取り付けた状態を示す図である。
【図５】図１のナイトカバーを並べて取り付けた状態を示す図である。
【発明を実施するための形態】
【００１９】
以下、本発明の実施の形態について、図面を参照しながら詳細に説明する。
図１、図２を参照して、本発明の実施の形態に係るナイトカバーの全体構造を説明する。図１（Ａ）はナイトカバー全体の正面図、図１（Ｂ）は側面図、図１（Ｃ）はナイトカバーのセットフレーム内の機構を示す正面図である。図２は、ショーケースの開口面をナイトカバーで覆った状態を示す側面図である。
ナイトカバー１は、図１に示すように、スクリーン１０と、スクリーン１０を引き出し可能に収容し、ショーケースの天板に取り付けられるセットフレーム３０と、を備える。図２に示すように、ナイトカバー１は、ショーケースＳ（前面開口タイプ）の天板Ｔに取り付けられる。店舗閉店時には、セットフレーム３０からスクリーン１０を引き出し、同スクリーン１０で商品陳列空間Ｄの開口面を覆う。
【００２０】
図１に示すように、スクリーン１０は、例えばポリエステル製の長方形のシートであり、ショーケースの開口面に合わせた長さと幅を有する。なお、幅は一般的には３〜４尺（９１８〜１２２３ｃｍ）であるが、長尺（例えば８尺、２４４６ｃｍ）とすると、隣接する２枚のスクリーンの間のスキマがなくなって、熱損失が低減される。スクリーン１０の上縁は、ローラ１１に固定されている。スクリーン１０の下縁には、幅方向に沿ってストップバック１３が取り付けられている。ストップバック１３の裏面には、シート状のマグネット１５が取り付けられている。また、ストップバック１３のほぼ中央には取っ手１７が取り付けられている。ショーケースの開口面を覆う際には、取っ手１７を持ってスクリーン１０をセットフレーム３０から引き出し、マグネット１５をショーケースＳの開口面の下方に吸着させる（図２参照）。
【００２１】
図１（Ｃ）に示すように、スクリーン１０の上縁が固定されたロール１１の一端には、スプリングブレーキセット２１が挿入されている。ロール１１のもう一方の端部には、ストッパー２３が、ロール１１に対して回動不能に挿入されている。スプリングブレーキセット２１とストッパー２３は、一般にナイトカバー等のスクリーンの開閉に使用されるものを使用できる。
【００２２】
セットフレーム３０は、スクリーンの幅方向に長いレール部材３１と、スプリングブレーキセット２１及びストッパー２３をレール部材３１に固定するためのブラケット４１と、セットフレーム３０をショーケースの天板に取り付けるための２組のマグネット組立５０と、を備える。
【００２３】
図３も参照してレール部材について説明する。
レール部材３１は、スクリーン１０の幅とほぼ同じ長さを有する。レール部材３１は、図３（Ｂ）に示すように、断面形状が上が開口した略コの字状の部材であり、幅方向に長い底板３１ａと、底板３１ａの前後の縁から立ち上がる前後板３１ｂとを有する。底板３１ａは、薄い凸状の断面形状を有し、前後方向中央には、ブラケット４１を固定するためのビスが通される凹部３３が、長手方向に連続して形成されている。さらに、前後板３１ｂの内面の上縁に沿って、対向するチャンネル状のガイド部３５が、長手方向に連続して形成されている。
レール部材３１は、一般に押出成形によって製造されるアルミニウム製の部材であり、ビス固定用の凹部３３が長手方向に連続して形成されている。押出成形品は、種々の長さのレール部材が提供されている。
【００２４】
図１（Ｃ）に示すように、レール部材３１の一方の端部には、ロール１１に挿入されたスプリングブレーキセット２１が、ブラケット４１により取り付けられている。レール部材３１のもう一方の端部には、ロール１１に対して回動不能に挿入されたストッパー２３が、ブラケット４１により取り付けられている。両ブラケット４１は、レール部材３１の両端面において、ビスで凹部３３に固定されている。
【００２５】
マグネット組立５０は、図３に示すように、レール部材３１の長手方向に長いスライド板５１と、スライド板５１に取り付けられる２個のマグネット５３を有する。スライド板５１は、前後の縁（長手方向に延びる片）がレール部材３１のチャンネル状ガイド部３５に係合して、ガイド部３５に沿ってレール部材３１の長手方向にスライドする。この際、スライド板５１と、ガイド部３５の内面との間には、わずかなスキマが存在し、スライド板５１は、ガイド部３５内で前後方向にやや傾斜可能となっている。このため、スライド板５１はナイトカバー１が取り付けられるショーケースＳの天板Ｔの傾斜に合うように傾斜する。
【００２６】
マグネット５３は、ある程度の厚さ（例えば約８ｍｍ）を有する円盤状の形状であり、上面は平坦な面となっている。２個のマグネット５３は、レール部材３１の長手方向に並んでスライド板５１に座金５５を介してビス５７で取り付けられている。マグネット５３が取り付けられたスライド板５１が、レール部材３１のガイド部３５に係合した状態において、マグネット５３の全体はレール部材３１の上面から突き出している。マグネット５３の上面と、レール部材３１の上面との間の間隔ｄは、この例では約８ｍｍである。間隔ｄは３〜１０ｍｍであることが好ましい。つまり、ナイトカバー１の、天板に直接取り付けられる面は、２組のマグネット組立５０の各マグネット５３の上面のみとなるので、天板Ｔの突起物の存在しない比較的狭い面を利用することができる。そして、マグネット５３が天板Ｔに吸着した状態で、レール部材３１の上面と天板Ｔとの間には約８ｍｍの間隔ｄが開いているので、この間隔ｄの間に突起物が存在することとなる。
【００２７】
この例では、マグネット５３はネオジムタイプのキャップマグネットであり、直径が３２ｍｍ、内径が５．５ｍｍ、高さが８ｍｍ、吸引力が２５ｋｇｆである。キャップマグネットとは、磁石とヨーク（鉄）を組み合わせたもので、片側に磁力を集中させることで吸着力をアップさせている。
【００２８】
スライド板５１の一端には、脱落防止ワイヤー６０の一端が固定されている。脱落防止ワイヤー６０は、長さが１０ｃｍ程度のワイヤーの両端に丸型端子６１が圧着されたものである。一方の端子６１がビス６３でスライド板５１に固定されている。ビス６３を締め付けると、ビス６３の先端がレール部材３１の底板の上面に当接して、これによりスライド板５１をレール部材３１に一時的に固定することができる。ワイヤー６０のもう一方の端子６１は、ナイトカバー１がショーケースＳの天板Ｔに取り付けられた際に、天板Ｔに元々存在するビスなどに固定される。
【００２９】
このナイトカバー１の取付方法の一例を、図４も参照して説明する。
まず、ショーケースＳの天板Ｔの状況を確認し、天板の幅方向両端付近で取付場所を選択する。この例では、天板Ｔに蛍光灯Ｆが既に取り付けられている。図中の符号Ｈは、ナイトカバー１の取っ手である。さらに、天板Ｔには、ビスやワイヤーグリップ等の突起物が存在する。本発明のナイトカバー１の、天板Ｔに直接取り付けられる部分は、２組のマグネット組立５０の各マグネット５３の上面のみであるため、突起物のない比較的狭い面であって、その近傍に既存のビスが取り付けられている個所を２ヶ所選択する。そして、選択された個所に対応するように、各マグネット組立５０をレール部材３１に沿ってスライドさせる。次に、各マグネット組立５０の脱落防止ワイヤー６０を固定するためのビス６３を締め付け、各マグネット組立５０をレール部材３１に対して移動しないように係止する。
【００３０】
この状態で、各マグネット組立５０を選択した取付個所に位置させて、マグネット５３を吸着させる。最後に、脱落防止ワイヤー６０のフリーな端部の端子６１を、既存のビスＢに固定する。
【００３１】
このように、既存のショーケースに加工を施したり、特別な工具を使用することなく簡単に取り付けることができる。また、取付時にゴミ等も発生しないため、商品にゴミが落下するようなこともない。したがって、店舗が開店している間でも、短時間で取り付けることができる。さらに、マグネット御組立５０のマグネット５３の吸着力が弱くなった場合や、ナイトカバー１に不用意な力がかかった場合も、ナイトカバー１は脱落防止ワイヤー６０で天板に固定されているので、ナイトカバー１の落下を防ぐことができる。
【００３２】
この例では、マグネット組立５０をレール部材３１の幅方向の両端付近に２組設けたが、スクリーンの幅や長さに応じて個数を変えてもよい。また、マグネット組立５０は、一枚のスライド板３１に、２個の円盤状マグネット５３を設けるのが標準的であるが、マグネットの個数を変えたり、長方形のマグネットを使用してもよい
【００３３】
複数のナイトカバーを横方向に並んで取り付ける際は、図５に示すように、セットフレーム３０の端部同士を近接させて取り付ければ、隣接するナイトカバー１のスクリーン１０間のスキマを少なくでき、冷熱の損失を極力防止できる。
【符号の説明】
【００３４】
１  ナイトトカバー
１０  スクリーン                            １１  ローラ
１３  ストップバック                        １５  マグネット
１７  取っ手                                ２１  スプリングブレーキセット
２３  ストッパー
３０  セットフレーム                        ３１  レール部材
３３  凹部                                  ３５  ガイド部
４１  ブラケット
５０  マグネット組立                        ５１  スライド板
５３  マグネット                            ５５  座金
５７  ビス
６０  脱落防止ワイヤー                      ６１  丸型端子
６３  ビス
【図１】
2014068974.tif 000003
【図２】
2014068974.tif 000004
【図３】
2014068974.tif 000005
【図４】
2014068974.tif 000006
【図５】
2014068974.tif 000007